(57)【特許請求の範囲】
【請求項１】
バンドにより腕に取り付けられる支持体と、
この支持体に１２時６時方向に摺動可能に取り付けられ、１２時側の端部に被写体を結像するレンズが配置されると共に、このレンズにより結像された被写体を撮像する撮像手段を有するカメラ本体とを備え、
前記カメラ本体の摺動方向に沿った両端部には、湾曲状の凹条又は凸条が形成され、
前記支持体には、前記カメラ本体側面の湾曲状の凹条又は凸条に嵌合する湾曲状の凸条又は凹条が形成され、
前記カメラ本体を１２時方向に摺動させると、前記カメラ本体が斜状に起き上がることを特徴とする電子カメラ。
【請求項２】
前記カメラ本体は、前記支持体から取り外し可能であることを特徴とする請求項１記載の電子カメラ。
【発明の詳細な説明】
【０００１】
【発明の属する技術分野】
【０００２】
本発明は、手首等の身体に装着して手軽に携帯することのできる電子カメラに関する。
【０００３】
【従来の技術】
【０００４】
今日においては、電子カメラの小型化が急速に図られており、その中には一体的に設けられたバンドにより、手首に装着して携帯可能なリスト型の電子カメラ（以下、リスト型カメラという）も出現するに至っている。このリスト型カメラにあっては、カメラ本体の側面部にレンズが配置されている。したがって、ユーザは、リスト型カメラを一方の左手首に装着して、レンズを被写体に向け、右手指でシャッター操作することにより、撮像を行うことができる。
【０００５】
【発明が解決しようとする課題】
【０００６】
このように、リスト型カメラは、手首に装着して携帯しそのまま撮像できることから、携帯性や機動性の面では優れる。しかし、左手首に装着したカメラのレンズは固定的であることから、所望の被写体を撮像することが困難となったり、迅速あるいは自由に所望の被写体を撮像することができないという欠点を有する。
【０００７】
本発明は、このような課題に鑑みてなされたものであり、携帯性や機動性を損なうことなく、撮像する被写体の自由度を向上させることのできる電子カメラを提供することを目的とするものである。
【０００８】
【課題を解決するための手段】
【００１９】
前記課題を解決するために請求項１記載の発明にかかる電子カメラにあっては、バンドにより腕に取り付けられる支持体と、この支持体に１２時６時方向に摺動可能に取り付けられ、１２時側の端部に被写体を結像するレンズが配置されると共に、このレンズにより結像された被写体を撮像する撮像手段を有するカメラ本体とを備え、前記カメラ本体の摺動方向に沿った両端部には、湾曲状の凹条又は凸条が形成され、前記支持体には、前記カメラ本体側面の湾曲状の凹条又は凸条に嵌合する湾曲状の凸条又は凹条が形成され、前記カメラ本体を１２時方向に摺動させると、前記カメラ本体が斜状に起き上がることを特徴としている。したがって、携帯する際には、カメラ本体が腕に取り付けられた支持体に取り付けられていることから、手軽に携帯することができ携帯性及び機動性は確保される。そして、撮像を行う際には、カメラ本体を摺動させれば、これに伴ってカメラ本体が摺動方向に移動し、レンズの向位置も変化することから、任意の撮像角度で撮像を行うことができ、これにより撮像する被写体の自由度を向上させることができる。
【００２３】
また、請求項２記載の発明にあっては、前記カメラ本体は、前記支持体から取り外し可能である。したがって、撮像を行う際には、カメラ本体を支持体から離脱させれば、自由な姿勢で撮像を行うことができる。また、カメラ本体を片手あるいは両手で持ち、自由に撮像角度を調整することができる。したがって、撮像を行う際の姿勢上の制約及び撮像角度調整上の制約を伴うことなく、撮像を行うことができる。
【００２４】
【発明の実施の形態】
【００２５】
以下、本発明の実施の形態を図に従って説明する。
【００２６】
（第１の実施の形態）
図１に示すように、第１の実施の形態にかかる電子カメラ１は、ホルダー２と、このホルダー２の両端部に係止されたリストバンド３、及び前記ホルダー２上に着脱自在に取り付けられたカメラ本体４とで構成されている。リストバンド３の端部には、バックル３０１が係止されている。なお、図２以降においては、バックル３０１を省略して図示する。
【００２７】
カメラ本体４はケース４０１を有し、このケース４０１の裏面部４２２には開口部４０２が設けられている。ケース４０１の内部には、制御部４０３及びこの制御部４０３に接続された操作部４０４、時計部４０５、電池部４０６、撮像カメラ部４０７、無線リンク・送受信部４０８、ＬＣＤ表示部４０９が設けられており、ＬＣＤ表示部４０９の表面はケース４０１の上面から露出している。
【００２８】
撮像カメラ部４０７は、前記開口部４０２に配置された撮像レンズ４１０、この撮像レンズ４１０の光軸上に配置されたイメージセンサ４１１、このイメージセンサ４１１に順次接続されたアンプ／ＡＤＣ４１２、画像信号処理部４５２、画像データメモリ４１３を備え、画像信号処理部４１２と画像データメモリ４１３とが制御部４０３に接続されている。アンプ／ＡＤＣ４１２は、イメージセンサ４１１から出力された撮像信号を保持するＣＤＳ、その撮像信号を増幅するゲイン調整アンプ（ＡＧＣ）、増幅後の撮像信号をデジタル信号に変換するＡ／Ｄ変換器（ＡＤ）からなるユニット回路からなる。
【００２９】
画像信号処理部４１２は、各種の信号処理、及び画像処理機能を備えたものであり、アンプ／ＡＤＣ４１２を経てデジタル信号に変換された撮像信号からビデオ信号を生成し、イメージセンサ４１１によって撮像した被写体像をスルー画像として制御部４０３に送り、制御部４０３はＬＣＤ表示部４０９にスルー画像を表示させる。また、撮像時には、撮像信号を圧縮して所定のフォーマットの画像ファイルを生成し、それをフラッシュメモリ等からなる画像データメモリ４１３に記憶させ、再生時には圧縮した画像ファイルを伸張してＬＣＤ表示部４０９に表示させる。
【００３０】
無線リンク・送受信部４０８は、Ｂｌｕｅｔｏｏｔｈ方式を採用するものであって、無線デバイスＩＤ記憶部４１４、無線リンク制御部４１５、情報変復調部４１６、拡散変復調部４１７、送受信部４１８及びアンテナ４１９を備えており、無線リンク制御部４１５は前記制御部４０３に接続されている。無線デバイスＩＤ記憶部４１４には、Ｂｌｕｅｔｏｏｔｈ通信相手となる携帯電話端末５のＩＤが記憶されており、無線リンク制御部４１５は、無線リンク・送受信部４０８の各部を制御するものである。情報変復調部４１６は送受信する情報を変復調し、拡散変復調部４１７は送受信する情報を拡散変復調する。送受信部４１８は、アンテナ４１９により受信される情報及びアンテナ４１９から送信する情報を送受信処理する。
【００３１】
また、カメラ本体４とＢｌｕｅｔｏｏｔｈにより近接無線接続される携帯電話端末５も、無線リンク・送受信部５０１を備えているとともに、携帯電話・送受信部５０２を備えている。無線リンク・送受信部５０１は、前記カメラ本体４側と同様に、Ｂｌｕｅｔｏｏｔｈ方式を採用するものであって、無線デバイスＩＤ記憶部５０３、無線リンク制御部５０４、情報変復調部４０５、拡散変復調部５０６、送受信部５０７及びアンテナ５０８を備えており、無線デバイスＩＤ記憶部５０３には、Ｂｌｕｅｔｏｏｔｈ通信相手となるカメラ本体４のＩＤが記憶されている。
【００３２】
携帯電話・送受信部５０２は、一般的な携帯電話端末と同様の回路構成であって、スピーカ５０９、マイク５１０、音声／データ処理部５１１、通信制御部５１２、受送信部５１３及びアンテナ５１４を備え、通信制御部５１２は、前記無線リンク制御部５０４に接続されている。したがって、この携帯電話端末５は、無線基地局６、移動体通信網７、及び無線基地局６を介して、カメラ又は表示画面付携帯電話端末９や、他の携帯電話端末１０、あるいは画像表示機能付情報端末１１に接続可能であるとともに、インターネット１２を介してＰＣ１３等に接続可能である。
【００３３】
図２に示すように、前記カメラ本体４のケース４０１の表面部４２０には、前記ＬＣＤ表示部４０９が設けられているとともに、撮像時に握りやすくするための、円曲状の突起４２１が設けられている。
【００３４】
前記ホルダー２は、台座２０１とこの台座２０１に着脱及び回動自在に支持された枠体２０２とから構成されている。枠体２０２は、基端枠部２０３、この基端枠部２０３の両端部に直交する方向に延設された一対のアーム部２０４、２０５とを有する略コ字状の部材であり、基端枠部２０３にて台座２０１に取り付けられている。
【００３５】
すなわち、図３に示すように、台座２０１には一対のヒンジ片２０６、２０６が突設されており、各ヒンジ片２０６、２０６には、貫通孔２０７が形成されている。一方、枠体２０２の基端枠部２０３には、その両端部に大径孔２０８と、この大径孔２０８に連なり外部に連通する小径孔２０９とが形成されているともに、大径孔２０８に連通する切欠部２２１（図２参照）が設けられている。
【００３６】
大径孔２０８内には図４に示す回動脱着機構２１０が配置されている。この回動脱着機構２１０は、スプリング２１１と、このスプリング２１１により突出方向に付勢される円筒形の可動体２１２とで構成されている。可動体２１２は、スプリング２１１の端部が弾接する基部２１３と、この基部２１３の中心部に突設されたピン部２１４、基部２１３の周部に突設された連設部２１５、この連設部２１５の先端部に形成され前記基部２１３と同一径からなる先端部２１６、及びこの先端部２０６の中心部に突設されたボタン部２１７とを一体的に有してなる。
【００３７】
この回動脱着機構２１０は、図３に示したように、スプリング２１１の一端部を前記大径孔２０８の奥壁に弾接させ、かつ、他端部を可動体２１２の基部２１３に弾接させることにより、前記大径孔２０８内に収容配置されている。これにより、前記ヒンジ片２０６の貫通孔２０７にピン部２１４が挿通して、枠体２０２は台座２０１に回動自在に取り付けられ、ボタン部２１７は前記小径孔２０９から外部に突出した状態となる。またこの状態で、ボタン部２１７を押圧すると、スプリング２１１に抗して可動体２１２が退入し、ピン部２１４が貫通孔２０７から離脱することにより、枠体２０２が台座２０１から離脱するように構成されている。
【００３８】
そして、前記カメラ本体４は、図２に示すように、枠体２０２の内部に配置されるとともに、アーム部２０４、２０５の先端部に挿通されたピン２１８により枠体２０２に回動自在に支持されている。
【００３９】
なお、図５に示すように、基端枠部２０３の内側には、第１凸条２１９が設けられており、カメラ本体４のケース４０１には、この第１凸条２１９に係脱自在な係合する第１凹条（図示せず）が設けられている。また、図６に示すように、台座２０１の他端部側には、第２凸条２２０が設けられており、カメラ本体４のケース４０１には、その裏面部４２２には、この第２凸条２２０に係脱自在な係合する第２凹条（図示せず）が設けられている。
【００４０】
以上の構成にかかる本実施の形態において通常時は、図２に示したように、台座２０１に枠体２０２を係止して台座２０１上に位置させるとともに、カメラ本体４も台座２０１上に位置させた状態で、リストバンド３を左手首に巻き付けて、電子カメラ１を携帯する。このとき、第１凸条２１９に前記第１凹条が係合し、かつ第２凸条２２０に前記第２凹条（図示せず）が係合することにより、枠体２０２及びカメラ本体４は台座２０１上に水平状体で係止されている。なお、この状態では時計モードが設定され、ＬＣＤ表示部４０９には、時計部４０５により計時されている現在時刻が表示されている。
【００４１】
そして、図５に示すように、撮像を行うに際しては、枠体２０２の自由端部をカメラ本体４とともに持ち上げて一体的に回動させて、第２凸条２２０と前記第２凹条とを解離させる。さらに、第１凸条２１９と前記第１凹条とを解離させて、矢印ａで示すように、カメラ本体４の自由端部を下方に回動させる。これにより、同図に示すように、枠体２０２は斜状に変位するともに、カメラ本体４は枠体２０２の自由端部と台座２０１との間に起立（直立）した状態となる。よって、起立したカメラ本体４の一面側（表面部４２０側）にＬＣＤ表示部４０９が位置し、他面側（裏面部４２２側）に、撮像レンズ４１０が位置することとなる。しかる後に、所定の操作により撮像モードを設定すると、撮像カメラ部４０７が起動して、時計モードから撮像モードに切り替わる。その結果、ＬＣＤ表示部４０９には、撮像レンズ４１０によりイメージセンサ４１１状に結像された被写体の画像が表示される。
【００４２】
したがって、この状態でカメラ本体４をユーザの目の前方に翳すことにより、ユーザの目の前方には、スルー画像が表示されているＬＣＤ表示部４０９が位置することとなる。次に、ＬＣＤ表示部４０９に所望の被写体画像が表示された時点で、カメラ本体４に設けられているシャッターボタン（図示せず）を操作する。すると、画像信号処理部４１２は、アンプ／ＡＤＣ４１２を経てデジタル信号に変換された撮像信号を圧縮して所定のフォーマットの画像ファイルを生成し、それを画像データメモリ４１３に記憶させる。これにより、撮像が終了することとなる。
このようにして撮像が終了したならば、カメラ本体４及び枠体２０２を前述とは逆に折り畳むことにより、図２に示した通常時の状態に復帰させることができる。
【００４３】
また、図２に示した状態でボタン部２１７を押圧すると、前述のように、スプリング２１１に抗して可動体２１２が退入し、ピン部２１４が貫通孔２０７から離脱することにより、枠体２０２が台座２０１から離脱する。したがって、図６に示したように、カメラ本体４は枠体２０２と一体的に台座２０１から離脱する。これにより、台座２０１と一体化してカメラ本体４を自由に移動操作して撮像を行うことができる。そして、撮像が終了したならば、ヒンジ片２０６、２０６に切欠部２２１、２２１を嵌合させた後、ボタン部２１７をワンタッチ操作する。すると、スプリング２１１に抗して可動体２１２が一旦退入した後進出し、ピン部２１４が貫通孔２０７に係合する。これにより、枠体２０２が台座２０１か係止され、さらに、第１凸条２１９を前記第１凹条に、第２凸条２２０を前記第２凹条に各々係止させることにより、図２に示した通常時の状態に復帰させることができる。
【００４４】
（第２の実施の形態）
図７〜図１０は、本発明の第２の実施の形態を示すものである。この第２の実施の形態にかかる電子カメラ１は、ホルダー２と、このホルダー２の両端部に係止されたリストバンド３、及び前記ホルダー２上に着脱自在に取り付けられたカメラ本体４とで構成されている。カメラ本体４は平面視において矩形のケース４０１を有し、このケース４０１の内部には、前述の図１に示した第１の実施の形態と同様の回路が内蔵されている。ケース４０１の所定の隅部には、撮像レンズ４１０が突設されており、この撮像レンズ４１０に近接する側面には、シャッターボタン４２３が配置されている。このシャッターボタン４２３からの操作信号は、図１に示した操作部４０４を介して制御部４０３に入力されるように構成されている。また、カメラ本体４のケース４０１の表面部４２０には、前記ＬＣＤ表示部４０９が設けられている。
【００４５】
一方、ケース４０１の裏面部４２２にはその中心部に、円筒状の係止部４２４が突設されており、この係止部４２４の先端部には、半径方向に突出するカメラ側凸部４２５とカメラ側凹部４２６とが交互かつ等間隔に設けられている。また係止部４２４の周部には、非撮像時係合孔４２７と撮像時係合孔４２８とが同一円周上に約４５°の間隔をおいて形成されている。
【００４６】
前記ホルダー２は、前記係止部４２４が内嵌可能なリング部２２２を有し、そリング部２２２の内周部には、中心方向に突出するホルダー側凸部２２３とホルダー側凹部２２４とが、カメラ側凸部４２５及びカメラ側凹部４２６と同一間隔で形成されている。また、リング部２２２の上面には、突出する方向に付勢されているピン２２５が出没自在に突出しており、このピン２２５はロック解除ボタン２２６に連係され、このロック解除ボタン２２６が押圧されると退入するように構成されている。さらに、リング部２２２の外周部には、レンズプロテクタ２２７が延設されており、このレンズプロテクタ２２７は水平方向に延在する延出部２２８と、この延出部２２８の先端部に起立する方向に設けられたカバー部２２９とを有している。
【００４７】
そして、カメラ本体４側の係止部４２４が有するカメラ側凸部４２５をホルダー２側のリング部２２２が有するホルダー側凹部２２４に合致させてカメラ本体を回転させることにより、図８に示すように、カメラ側凸部４２５がホルダー側凸部２２３の下面側に位置して、カメラ本体４がホルダー２に固定されるように構成されている。また、この固定状態においては、ピン２２５が非撮像時係合孔４２７に係合するとともに、撮像レンズ４１０はレンズプロテクタ２２７のカバー部２２９と対向する位置となるように構成されている。
【００４８】
以上の構成にかかる本実施の形態において通常時は、前述のようにカメラ側凸部４２５がホルダー側凸部２２３の下面側に位置し、ピン２２５が非撮像時係合孔４２７に係合することによって、図９に示すように、撮像レンズ４１０はレンズプロテクタ２２７のカバー部２２９と対向する位置となっている。したがって、撮像レンズ４１０はレンズプロテクタ２２７により保護される。また、このとき、時計モードが設定されていることによりＬＣＤ表示部４０９には、時計部４０５（図１参照）により計時されている現在時刻が表示されている。
【００４９】
撮像を行うに際して、ロック解除ボタン２２６を押圧すると、ピン２２５が退入して非撮像時係合孔４２７から離脱する。したがって、図９に示すように、カメラ本体４を矢印ｂ方向に回転させることが可能となる。そして、図１０に示すように、（約４５°の）回転に伴って撮像レンズ４１０が１２時の位置まで到達すると、ピン２２５が撮像時係合孔４２８に係合してカメラ本体４は位置決めされる。この状態で、所定の操作により撮像モードを設定すると、撮像カメラ部４０７が起動して、時計モードから撮像モードに切り替わる。これにより、ＬＣＤ表示部４０９には、撮像レンズ４１０によりイメージセンサ４１１上に結像された被写体の画像が表示される。したがって、ＬＣＤ表示部４０９に所望の被写体画像が表示された時点で、カメラ本体４に設けられているシャッターボタン４２３を操作することにより、撮像を行うことができる。
【００５０】
また、撮像レンズ４１０が１２時の位置まで到達した状態においては、カメラ側凸部４２５がホルダー側凹部２２４と合致している。よって、図７に示したように、カメラ本体４をホルダー２から取り外すことも可能となり、カメラ本体４を自由に移動操作して撮像を行うことができる。
【００５１】
そして、撮像が終了したならば、カメラ側凸部４２５をホルダー側凹部２２４に合致させてカメラ本体を回転させることにより、カメラ側凸部４２５がホルダー側凸部２２３の下面側に位置し、かつ、ピン２５５が再度非撮像時係合孔４２７と係合することにより、カメラ本体４はホルダー２に固定されることとなる。
（第３の実施の形態）
図１１〜図１５は、本発明の第３の実施の形態を示すものである。この第３の実施の形態にかかる電子カメラ１は、ホルダー２と、このホルダー２の両端部に係止されたリストバンド３、及び前記ホルダー２上に摺動自在自在に取り付けられたカメラ本体４とで構成されている。カメラ本体４は平面視において矩形のケース４０１を有し、このケース４０１の内部には、前述の図１に示した第１の実施の形態と同様の回路が内蔵されている。ケース４０１の１２時側の面に撮像レンズ４１０が配置され、ケース４０１の表面部４２０にＬＣＤ表示部４０９が設けられている。
【００５２】
一方、ケース４０１の両側部下面には、湾曲状のカメラ側ガイド面４３０と、このカメラ側ガイド面４３０に沿ったカメラ側凹条４３１とカメラ側凸条４３２とが形成されている。このカメラ側凸条４３２の撮像レンズ４１０が設けられた面と反対側の面の近傍には、図１３に明示したように一端部が外部に開放状の組付孔４３３が形成されている。組付孔４３３にはスプリング４３４と、このスプリング４３４により突出方向に付勢され、先端部が組付孔４３３の外部に突出するロックピン４３５とが収容配置されている。
【００５３】
他方、図１１に示すように、前記ホルダー２の両側部上面には、前記カメラ側ガイド面４３０と同一の曲率からなる湾曲状のホルダー側ガイド面２３０、２３０が形成されている。このホルダー側ガイド面２３０、２３０間には凹部２３１が形成されており、この凹部２３１の両側部には、前記ホルダー側ガイド面２３０に沿ったホルダー側凸条２３２とホルダー側凹条２３３とが形成されている。各ホルダー側凹条２３３の両端部には、組付貫通孔２３４が形成されている。
【００５４】
これらホルダー側凹条２３３の両端部に形成された各々一対の組付貫通孔２３４のうち、一端部側（６時側）に位置する一対の組付貫通孔２３４には撮像開始時用リリースピン２３５が配置され、他端部側（１２時側）に位置する一対の組付貫通孔２３４には撮像終了時用リリースピン２３６が配置され、これら撮像開始時用リリースピン２３５と撮像終了時用リリースピン２３６とは同一構成であって、スプリング２３７により付勢されることによって、ホルダー側凹条２３３よりも退入し、かつ、外部に突出している。
【００５５】
そして、図１３に示すように、カメラ側ガイド面４３０をホルダー側ガイド面２３０に接触させ、カメラ側凹条４３１をホルダー側凸条２３２に嵌合させ、かつカメラ側凸条４３２をホルダー側凹条２３３に嵌合させることにより、カメラ本体４はホルダー２に摺動自在に支持されている。
【００５６】
なお、図１３に示すように前記凹部２３１の１２時側の長さは、撮像レンズ４１０を含むカメラ本体４の同方向の全長よりも長く、また、凹部２３１の１２時側の端部は開放状であって開口部２５０が設けられている。これにより、カメラ本体４を開口部２５０を介して外部に引き出し、ホルダー２と分離できるように構成されている。
【００５７】
以上の構成にかかる本実施の形態において通常時は、図１３に示すように、ロックピン４３５先端部が、撮像開始時用リリースピン２３５側の組付貫通孔２３４の端部と係合することにより、カメラ本体４はホルダー２の凹部２３１に格納された状態で固定されている。このとき、時計モードが設定されていることによりＬＣＤ表示部４０９には、時計部４０５（図１参照）により計時されている現在時刻が表示されている。
【００５８】
また、撮像を行うに際しては、図１４に示すように、リストバンド３を左手首ＬＡに巻き付けて、電子カメラ１を携帯し、右手ＲＨの親指Ｒ１と人差指Ｒ２で図１３及び図１４の矢印ｃに示すように、撮像開始時用リリースピン２３５を押圧すると、該撮像開始時用リリースピン２３５がスプリング２３７に抗して退入し、ロックピン４３５の先端部に圧接する。すると、ロックピン４３５がスプリング４３４に抗して退入し、ロックピン４３５は撮像開始時用リリースピン２３５側の組付貫通孔２３４から離脱する。したがって、この状態で図１３及び図４の矢印ｄに示すように、カメラ本体４をスライドさせると、カメラ本体４はカメラ側ガイド面４３０に沿って移動しつつ斜状に起き上がる。
【００５９】
そして、移動に伴ってカメラ本体４が最終位置まで到達すると、ロックピン４３５先端部が、撮像終了時用リリースピン２３６側の組付貫通孔２３４の端部と係合することにより、カメラ本体４は斜状に起き上がった状態で固定される。この状態で、所定の操作により撮像モードを設定すると、撮像カメラ部４０７が起動して、時計モードから撮像モードに切り替わる。これにより、ＬＣＤ表示部４０９には、撮像レンズ４１０によりイメージセンサ４１１上に結像された被写体の画像が表示される。したがって、ＬＣＤ表示部４０９に所望の被写体画像が表示された時点で、カメラ本体４に設けられているシャッターボタン（図示せず）を操作することにより、撮像を行うことができる。
【００６０】
また、撮像が終了したならば、右手ＲＨの親指Ｒ１と人差指Ｒ２で、撮像終了時用リリースピン２３６を押圧すると、該撮像開始時用リリースピン２３５がスプリング２３７に抗して退入し、ロックピン４３５の先端部に圧接する。すると、ロックピン４３５がスプリング４３４に抗して退入し、ロックピン４３５は撮像開始時用リリースピン２３５側の組付貫通孔２３４から離脱する。したがって、この状態でカメラ本体４を逆方向にスライドさせると、カメラ本体４はカメラ側ガイド面４３０に沿って移動しつつ斜状に傾倒しつつ格納位置に移動する。そして、移動に伴ってカメラ本体４が格納位置まで到達すると、ロックピン４３５先端部が、撮像開始時用リリースピン２３５側の組付貫通孔２３４の端部と係合することにより、カメラ本体４は格納状態で固定される。
【００６１】
なお、図１５に示したように、カメラ本体４を格納位置から最終位置との間に停止させて撮像を行うことも可能であり、この場合にはカメラ本体４を任意の傾斜角度にして撮像を行うことができる。また、最終位置からさらにスライドさせることにより、開口部２５０を介してカメラ本体４をホルダー２から引き抜き、ホルダー２と分離することにより、一層自由に撮像を行うこともできる。
【００６２】
【発明の効果】
【００６５】
以上説明したように請求項１記載の発明によれば、手軽に携帯可能であって携帯性及び機動性を確保することができるとともに、撮像を行う際には、カメラ本体を摺動させれば、これに伴ってカメラ本体が摺動方向に移動し、レンズの向位置も変化することから、任意の撮像角度で撮像を行うことができ、これにより撮像する被写体の自由度を向上させることができる。
【図面の簡単な説明】
【図１】本発明の第１の実施の形態を用いたシステムの構成図である。
【図２】同実施の形態を示す斜視図である。
【図３】同実施の形態の要部断面図であるである。
【図４】回動脱着機構の斜視図である。
【図５】カメラ本体を起立させた状態の斜視図である。
【図６】カメラ本体を取り外した状態の斜視図である。
【図７】第２の実施の形態を示す分解斜視図である。
【図８】同実施の形態の要部断面図であるである。
【図９】同実施の形態の平面図である。
【図１０】同実施の形態のカメラ本体を角度変化させた状態の平面図である。
【図１１】第３の実施の形態を示す斜視図である。
【図１２】同実施の形態の要部断面図であるである。
【図１３】同実施の形態の要部断面図であるである。
【図１４】同実施の形態の操作状態を示す斜視図である。
【図１５】同実施の形態のカメラ本体を角度変化させた状態の斜視図である。
【符号の説明】
１    電子カメラ
２    ホルダー
３    リストバンド
４    カメラ本体
２０１    台座
２０２    枠体
２０３    基端枠部
２０４    アーム部
２０６    ヒンジ片
２０６    先端部
２０７    貫通孔
２０８    大径孔
２０９    小径孔
２１０    回動脱着機構
２１１    スプリング
２１２    可動体
２１３    基部
２１４    ピン部
２１５    連設部
２１６    先端部
２１７    ボタン部
２１８    ピン
２１９    凸条
２１９    第１凸条
２２０    第２凸条
２２１    切欠部
２２２    リング部
２２３    ホルダー側凸部
２２４    ホルダー側凹部
２２５    ピン
２２６    ロック解除ボタン
２２６    延出部
２２７    レンズプロテクタ
２２８    延出部
２２９    カバー部
２３０    ホルダー側ガイド面
２３１    凹部
２３２    ホルダー側凸条
２３３    ホルダー側凹条
２３４    組付貫通孔
２３５    撮像開始時用リリースピン
２３６    撮像終了時用リリースピン
２３７    スプリング
２５５    ピン
４０１    ケース
４０２    開口部
４１０    撮像レンズ
４２７    非撮像時係合孔
４２８    撮像時係合孔
４３０    カメラ側ガイド面
４３１    カメラ側凹条
４３２    カメラ側凸条
４３３    組付孔
４３４    スプリング
４３５    ロックピン
【図１】
0003873170.tif 000002
【図２】
0003873170.tif 000003
【図３】
0003873170.tif 000004
【図４】
0003873170.tif 000005
【図５】
0003873170.tif 000006
【図６】
0003873170.tif 000007
【図７】
0003873170.tif 000008
【図８】
0003873170.tif 000009
【図９】
0003873170.tif 000010
【図１０】
0003873170.tif 000011
【図１１】
0003873170.tif 000012
【図１２】
0003873170.tif 000013
【図１３】
0003873170.tif 000014
【図１４】
0003873170.tif 000015
【図１５】
0003873170.tif 000016